(57)【要約】  ベルクロインサーティングタイプのフィルター交換方式汎用合成樹脂マスク、これの射出成形装置及び製作方法に関する。  本発明は、前記の目的を達成するために本発明の実施例によるベルクロインサーティングタイプのフィルター交換方式汎用合成樹脂マスクは、枠の形状で内部のフィルター挿入部を支持し、前記フィルター挿入部と共に上部金型と下部金型を利用した射出成形による合成樹脂に形成されるマスクガイド;及び前記マスクガイドとフィルター挿入部に対する射出成形過程で前記下部金型のフィルタ−附着用ベルクロ端形成部の前面に置かれ、前記上部金型のベルクロ端挿入ホールを通じて固定される方式でインサーティング(inserting)されてマスクガイドに形成されるフィルタ−附着用ベルクロ;とを含む。  これによって、金型を利用したワンストップ方式の射出成形で製作時間を画期的に短縮させ、フィルター交替用で衛生的な効果を提供する。
2016537218.tif 000002
【特許請求の範囲】
【請求項１】
枠の形状で内部のフィルター挿入部を支持し、前記フィルター挿入部と共に上部金型と下部金型を利用した射出成形による合成樹脂に形成されるマスクガイド;及び
前記マスクガイドとフィルター挿入部に対する射出成形の過程で前記下部金型のフィルタ−附着用ベルクロ端形成部の前面に置かれ、前記上部金型のベルクロ端挿入ホールを通じて固定される方式でインサーティング(inserting)されてマスクガイドに形成されるフィルタ−附着用ベルクロ;とを含むことを特徴とするベルクロインサーティングタイプのフィルター交換方式汎用合成樹脂マスク。
【請求項２】
前記マスクガイド内部の前記フィルター挿入部に脱着が可能になるように形成される交換型フィルター;を更に含むことを特徴とする請求項1に記載のベルクロインサーティングタイプのフィルター交換方式汎用合成樹脂マスク。
【請求項３】
前記フィルター挿入部は、前記マスクガイドの内周面に格子縞の四角ホールが配置された形状に形成されることを特徴とする請求項1に記載のベルクロインサーティングタイプのフィルター交換方式汎用合成樹脂マスク。
【請求項４】
前記フィルター挿入部は、横方向或いは縦方向への一字形のバー(bar)の形状の集合に形成されることを特徴とする請求項1に記載のベルクロインサーティングタイプのフィルター交換方式汎用合成樹脂マスク。
【請求項５】
前記フィルター挿入部は、縦方向上の中央線c2から予め設定された角度a1を形成して上向及び下向に各々6個ずつの一直線の形状が形成され、前記一直線形状の形成時、長さ方向上の中央線c1を中心に左右対称形であることを特徴とする請求項1に記載のベルクロインサーティングタイプのフィルター交換方式汎用合成樹脂マスク。
【請求項６】
前記フィルター挿入部は、前記マスクガイドの内周面に格子縞の楕円ホールが配置された形状に形成されることを特徴とする請求項1に記載のベルクロインサーティングタイプのフィルター交換方式汎用合成樹脂マスク。
【請求項７】
ベルクロインサーティングタイプのフィルター交換方式汎用合成樹脂マスクを構成するマスクガイドの下部面を形成するために陰刻で形成され、左右及び上下対称形で前記マスクガイドの下部面にフィルタ−附着用ベルクロを装着するための4個のフィルタ−附着用ベルクロ端形成部を別に備える下部マスクガイド形成部を含む下部金型;
及び
前記マスクガイドの上部面を形成するために陰刻で形成され、左右及び上下対称形で前記マスクガイドの下部面にフィルタ−附着用ベルクロを固定させるための4個のベルクロ端挿入ホール形成部を別に備える上部マスクガイド形成部を含む上部金型;
からなることを特徴とするベルクロインサーティングタイプのフィルター交換方式汎用合成樹脂マスクの射出成形装置。
【請求項８】
前記ベルクロ端挿入ホール形成部各々は、4個の隆起型ニードル(needle)に形成されることを特徴とする請求項7に記載のベルクロインサーティングタイプのフィルター交換方式汎用合成樹脂マスクの射出成形装置。
【請求項９】
前記マスクガイドとフィルター挿入部を成形する合成樹脂を撹拌してホッパーへの供給時、液状の機能性添加物を均一に混合して共に投入するために第1撹拌機と、第2撹拌機;を更に含んで、
前記第1撹拌機は、前記合成樹脂を撹拌し、
前記第2撹拌機は、前記第1撹拌機の後端に形成されて前記機能性添加物を共に撹拌して前記ホッパーへ供給するために形成されることを特徴とする請求項7に記載のベルクロインサーティングタイプのフィルター交換方式汎用合成樹脂マスクの射出成形装置。
【請求項１０】
前記第1撹拌機と前記第2撹拌機の各々は、
上端が開口され、開口された上端部を蜜閉するためのカバーと、下端には吐出口が形成された撹拌タンク;
前記撹拌タンクのカバーの上側に備えながら、その回転軸は、前記カバーを貫く駆動モーター;及び
前記カバーを貫いた前記駆動モーターの回転軸とスプライン連結されて回転する撹拌翼;を含むことを特徴とする請求項9に記載のベルクロインサーティングタイプのフィルター交換方式汎用合成樹脂マスクの射出成形装置。
【請求項１１】
フィルタ−附着用ベルクロ端形成部を含む下部金型と、ベルクロ端挿入ホール形成部を含む上部金型を製作する第1段階;
前記下部金型のフィルタ−附着用ベルクロ端形成部上にフィルタ−附着用ベルクロに対するインサーティング(inserting)を遂行する第2段階;
マスクガイドとフィルター挿入部を形成するための合成樹脂を撹拌してホッパーへ供給する第3段階;及び
加熱シリンダーで溶融された合成樹脂をスクリューを通じて前記下部金型及び前記上部金型の間に高圧射出を遂行してベルクロインサーティングタイプのフィルター交換方式汎用合成樹脂マスクに対する製作を完了する第4段階;とを含むことを特徴とするベルクロインサーティングタイプのフィルター交換方式汎用合成樹脂マスクの製作方法。
【請求項１２】
前記第3段階は、前記合成樹脂を撹拌してホッパーへの供給時、液状の機能性添加物を均一に混合して共に投入することを特徴とする請求項11に記載のベルクロインサーティングタイプのフィルター交換方式汎用合成樹脂マスクの製作方法。
【発明の詳細な説明】
【技術分野】
【０００１】
本発明は、ベルクロ（登録商標）インサーティングタイプのフィルター交換方式汎用合成樹脂マスク、これの射出成形装置及び製作方法に関するものであって、より具体的には、金型を利用したワンストップ方式の射出成形で製作時間を画期的に短縮させ、フィルター交替用で衛生的な目的を達成するためのベルクロインサーティングタイプのフィルター交換方式汎用合成樹脂マスク、これの射出成形装置及び製作方法に関するものである。
【背景技術】
【０００２】
通常的にマスクは、汚染地域、各種危急状況、空気が汚染することができる産業分野、放射性物質に露出することができる地域などで発生する有害性物質が人体に流入することを防止するために顔面に被るとか、呼吸器を通じて外部のウィルスなどが流入することを遮断するために使われている。
【０００３】
このようなマスクは、一般にマスク生地内面に形成された抗菌処理された綿や生地が呼吸する時、フィルター役割をして埃や異物、各種細菌などが内部に侵透することを防止するものである。
【０００４】
一般に咳や風邪などの呼吸器疾患の発生時、或いは埃や臭気などが発生する場所で作業時、外部空気との直接的な接触を避けるために被るマスクは、被る者の鼻と口とを塞いでくれる矩形形態の前面カバー生地と、このカバー生地の両側に連結されてカバー生地を両耳にかけてくれるための連結紐とで構成されている。
【０００５】
このような従来のマスクの製作工程は、矩形形態の生地を両耳にかけてくれる構造になっているので矩形形態の生地を製作し、両耳にかけてくれる掛け部を別に製作した後、掛け部を再び生地に附着する方式で製作することによって製作過程が複雑であり、製作時間が長いという短所がある。
【０００６】
それだけでなく、このように製作されたマスクは、保管後の再使用が難しい短所があり、単に生地を利用したフィルタリング方式はフィルタリング機能が弱く、製作された製品の多様性が不足だという短所がある。
[関連技術文献]
1.繰返して使用可能な顔面マッサージマスク(韓国特許出願番号第10-2004-0000776号)
2.呼吸器保護と伝染病を予防する機能性衛生マスク(韓国特許出願番号第10-2003-0028361号)
【発明の概要】
【発明が解決しようとする課題】
【０００７】
本発明は、前記の問題点を解決するために工夫したものであって、金型を利用したワンストップ方式の射出成形で製作時間を画期的に短縮させるためのベルクロインサーティングタイプのフィルター交換方式汎用合成樹脂マスク、これの射出成形装置及び製作方法を提供するためのものである。
【０００８】
また、本発明は、フィルター交替型として衛生的な目的を達成するだけでなく、フィルター分離後、長期保管の便利を提供して再使用できるようにするためのベルクロインサーティングタイプのフィルター交換方式汎用合成樹脂マスク、これの射出成形装置及び製作方法を提供するためのものである。
【０００９】
また、本発明は、交替用フィルターとフィルター挿入部の構造的な設計を通じてフィルタリング機能を強化するだけでなく、多様な形状に製作可能にするためのベルクロインサーティングタイプのフィルター交換方式汎用合成樹脂マスク、これの射出成形装置及び製作方法を提供するためのものである。
【００１０】
しかし、本発明の目的は、前記に記載された目的に限らず、記載されない他の目的は下記の記載から当業者に明確に理解されることができる。
【課題を解決するための手段】
【００１１】
前記の目的を達成するために本発明の実施例によるベルクロインサーティングタイプのフィルター交換方式汎用合成樹脂マスクは、枠の形状で内部のフィルター挿入部を支持し、前記フィルター挿入部と共に上部金型と下部金型を利用した射出成形による合成樹脂に形成されるマスクガイド；及び前記マスクガイドとフィルター挿入部に対する射出成形の過程で前記下部金型のフィルタ−附着用ベルクロ端形成部の前面に置かれ、前記上部金型のベルクロ端挿入ホールを通じて固定される方式でインサーティング(inserting)されてマスクガイドに形成されるフィルタ−附着用ベルクロ；とを含む。
【００１２】
前記の目的を達成するために本発明の実施例によるベルクロインサーティングタイプのフィルター交換方式汎用合成樹脂マスクの射出成形装置は、ベルクロインサーティングタイプのフィルター交換方式汎用合成樹脂マスクを構成するマスクガイドの下部面を形成するために陰刻で形成され、左右及び上下対称形で前記マスクガイドの下部面にフィルタ−附着用ベルクロを装着するための4個のフィルタ−附着用ベルクロ端形成部を別に備える下部マスクガイド形成部を含む下部金型；及び前記マスクガイドの上部面を形成するために陰刻で形成され、左右及び上下対称形で前記マスクガイドの下部面にフィルタ−附着用ベルクロを固定させるための4個のベルクロ端挿入ホール形成部を別に備える上部マスクガイド形成部を含む上部金型；からなる。
【００１３】
前記の目的を達成するために本発明の実施例によるベルクロインサーティングタイプのフィルター交換方式汎用合成樹脂マスクの製作方法は、フィルタ−附着用ベルクロ端形成部を含む下部金型と、ベルクロ端挿入ホール形成部を含む上部金型を製作する第1段階；前記下部金型のフィルタ−附着用ベルクロ端形成部上にフィルタ−附着用ベルクロに対するインサーティング(inserting)を遂行する第2段階；マスクガイドとフィルター挿入部を形成するための合成樹脂を撹拌してホッパーへ供給する第3段階；及び加熱シリンダーで溶融した合成樹脂をスクリューを通じて前記下部金型及び前記上部金型の間に高圧射出を遂行してベルクロインサーティングタイプのフィルター交換方式汎用合成樹脂マスクに対する製作を完了する第4段階；とを含む。
【発明の効果】
【００１４】
本発明の実施例によるベルクロインサーティングタイプのフィルター交換方式汎用合成樹脂マスク、これの射出成形装置及び製作方法は、金型を利用したワンストップ方式の射出成形で製作時間を画期的に短縮させる効果を提供する。
【００１５】
また、本発明の他の実施例によるベルクロインサーティングタイプのフィルター交換方式汎用合成樹脂マスク、これの射出成形装置及び製作方法は、フィルター交替型として衛生的な目的を達成するだけでなく、フィルター分離後、長期保管の便利を提供することによって長期保管後でも再使用することができる効果を提供する。
【００１６】
それだけでなく、本発明の更に他の実施例によるベルクロインサーティングタイプのフィルター交換方式汎用合成樹脂マスク、これの射出成形装置及び製作方法は、交替用フィルターとフィルター挿入部の構造的な設計を通じてフィルタリング機能を強化するだけでなく、多様な形状に製作することができる効果を提供する。
【図面の簡単な説明】
【００１７】
【図１】本発明の実施例による第1タイプに形成されたベルクロインサーティングタイプのフィルター交換方式汎用合成樹脂マスク1aを示した図面である。
【図２】本発明の他の実施例による第2タイプに形成されたベルクロインサーティングタイプのフィルター交換方式汎用合成樹脂マスク1bを示した図面である
【図３】本発明の更に他の実施例による第3タイプに形成されたベルクロインサーティングタイプのフィルター交換方式汎用合成樹脂マスク1cを示した図面である。
【図４】本発明の更に他の実施例による第4タイプに形成されたベルクロインサーティングタイプのフィルター交換方式汎用合成樹脂マスク1dを示した図面である。
【図５】本発明の更に他の実施例による第5タイプに形成されたベルクロインサーティングタイプのフィルター交換方式汎用合成樹脂マスク1eを示した図面である。
【図６】本発明の更に他の実施例による第6タイプに形成されたベルクロインサーティングタイプのフィルター交換方式汎用合成樹脂マスク1fを示した図面である
【図７】本発明の実施例によるベルクロインサーティングタイプのフィルター交換方式汎用合成樹脂マスクの射出成形装置を示した図面である。
【図８】本発明の実施例によるベルクロインサーティングタイプのフィルター交換方式汎用合成樹脂マスクの射出成形装置を示した図面である。
【図９】本発明の実施例によるベルクロインサーティングタイプのフィルター交換方式汎用合成樹脂マスクの製作方法を示した流れ図である。
【図１０】本発明の実施例によるベルクロインサーティングタイプのフィルター交換方式汎用合成樹脂マスクの製作時使われる第1撹拌機と第2撹拌機との構造を示した図面である。
【発明を実施するための形態】
【００１８】
以下、本発明の望ましい実施例の詳しい説明は、添付された図面を参照して説明する。下記で本発明を説明することにおいて、係わる公知機能または構成に対する具体的な説明が本発明の要旨を不必要にぼやかすと判断される場合は、その詳しい説明を省略する。
【００１９】
図1は、本発明の実施例による第1タイプに形成されたベルクロインサーティングタイプのフィルター交換方式汎用合成樹脂マスク1aを示した図面である。第1タイプに形成されたベルクロインサーティングタイプのフィルター交換方式汎用合成樹脂マスク1aは、マスクガイド10、第1タイプフィルター挿入部20a、フィルタ−附着用ベルクロ30、そして、交換型フィルター40を含む。
【００２０】
先ず、マスクガイド10は、枠の形状で内部の第1タイプフィルター挿入部20aを支持し、第1タイプフィルター挿入部20aと一体に後述する上部金型100（図8参照)と下部金型100a（図7参照)を利用した射出成形による合成樹脂に形成される。
【００２１】
そして、第1タイプフィルター挿入部20aは、マスクガイド10の内周面に格子縞の四角ホールが配置された形状に形成される。ここで、図1に示されたところのように、第1タイプフィルター挿入部20aは、マスクガイド10と接する領域ではマスクガイド10の内部面の形状によって三角形状または台形形状のホールが配置されることができる。
【００２２】
フィルタ−附着用ベルクロ30は、マスクガイド10と第1タイプフィルター挿入部20aに対する射出成形過程で、下部金型100aのフィルタ−附着用ベルクロ端形成部111aの前面に置かれ、上部金型100bのベルクロ端挿入ホール形成部111b（図8参照)を通じて固定される方式でインサーティング(inserting)されてマスクガイド10に形成される。即ち、フィルタ−附着用ベルクロ30は、マスクガイド10にワンストップ(one-stop)方式で射出成形時締結されて形成されることによって、生産時間を短縮させる効果を提供する。
【００２３】
交換型フィルター40は、マスクガイド10内部の第1タイプフィルター挿入部20aとして脱着が可能な方式で形成される。ここで、交換型フィルター40は、前述したフィルタ−附着用ベルクロ30を活用して脱着が遂行される。
【００２４】
一方、交換型フィルター40は、マスクガイド10と第1タイプフィルター挿入部20aからなるベルクロインサーティングタイプのフィルター交換方式汎用合成樹脂マスク1aでの交換が可能な構造を提供することによって、長期保管後でも再使用することができ、フィルター挿入或いは交替用で衛生的な効果を提供する。
【００２５】
図2は、本発明の他の実施例による第2タイプに形成されたベルクロインサーティングタイプのフィルター交換方式汎用合成樹脂マスク1bを示した図面である。図2を参照すれば、第2タイプに形成されたベルクロインサーティングタイプのフィルター交換方式汎用合成樹脂マスク1bは、図1の第1タイプに形成されたベルクロインサーティングタイプのフィルター交換方式汎用合成樹脂マスク1aでの第1タイプフィルター挿入部20aが第2タイプフィルター挿入部20bの形状に変形された構造を有する。
【００２６】
ここで、第2タイプフィルター挿入部20bは、横方向への一字形のバー(bar)の形状の集合に形成されたと示されている。図2のように横方向のバーの間には均一の間隔に形成されることが望ましい。
【００２７】
一方、第2タイプ、そして、後述する第3ないし第6タイプのベルクロインサーティングタイプのフィルター交換方式汎用合成樹脂マスク1b、1c、1d、1e、1fに対する製作工程及び特長、そして、交換型フィルター40の脱着方式は、第1タイプのベルクロインサーティングタイプのフィルター交換方式汎用合成樹脂マスク1aと同一なので重複説明は以下省略する。
【００２８】
図3は、本発明の更に他の実施例による第3タイプに形成されたベルクロインサーティングタイプのフィルター交換方式汎用合成樹脂マスク1cを示した図面である。図3を参照すれば、第3タイプに形成されたベルクロインサーティングタイプのフィルター交換方式汎用合成樹脂マスク1cは、図1の第1タイプに形成されたベルクロインサーティングタイプのフィルター交換方式汎用合成樹脂マスク1aでの第1タイプフィルター挿入部20aが第3タイプフィルター挿入部20cの形状に変形された構造を有する。
【００２９】
ここで、第3タイプフィルター挿入部20cは、長さ方向上の中央線c1を基準として、両側方向に樹木の葉の形状に形成されたことに示されている。
【００３０】
この場合、縦方向上の中央線c2から予め設定された角度a1を形成して上向及び下向に各々6個ずつの一直線の形状が形成され、また、このような一直線の形状の形成時、長さ方向上の中央線c1を中心に左右対称形で形成される。ここで、予め設定された角度a1は、80ないし82゜の間で形成されることが交換型フィルター40に対する支持力が極大化されることができる。
【００３１】
図4は、本発明の更に他の実施例による第4タイプに形成されたベルクロインサーティングタイプのフィルター交換方式汎用合成樹脂マスク1dを示した図面である。
【００３２】
図4を参照すれば、第4タイプに形成されたベルクロインサーティングタイプのフィルター交換方式汎用合成樹脂マスク1dは、図1の第1タイプに形成されたベルクロインサーティングタイプのフィルター交換方式汎用合成樹脂マスク1aでの第1タイプフィルター挿入部20aが第4タイプフィルター挿入部20dの形状に変形された構造を有する。
【００３３】
ここで、第4タイプフィルター挿入部20dは、マスクガイド10の内周面に格子縞の楕円ホールが配置された形状に形成される。
【００３４】
図5は、本発明の更に他の実施例による第5タイプに形成されたベルクロインサーティングタイプのフィルター交換方式汎用合成樹脂マスク1eを示した図面である。図5を参照すれば、第5タイプに形成されたベルクロインサーティングタイプのフィルター交換方式汎用合成樹脂マスク1eは、図1の第1タイプに形成されたベルクロインサーティングタイプのフィルター交換方式汎用合成樹脂マスク1aでの第1タイプフィルター挿入部20aが第5タイプフィルター挿入部20eの形状に変形された構造を有する。
【００３５】
ここで、第5タイプフィルター挿入部20eは、マスクガイド10の内周面に第1タイプフィルター挿入部20aに比べて直径が大きい格子縞の四角ホールが配置された形状に形成される。そして、図5に示されたところのように、マスクガイド10と接する領域ではマスクガイド10の内部面の形状によって三角形状或いは台形形状のホールが配置されることができる。
【００３６】
図6は、本発明の更に他の実施例による第6タイプに形成されたベルクロインサーティングタイプのフィルター交換方式汎用合成樹脂マスク1fを示した図面である。図6を参照すれば、第6タイプに形成されたベルクロインサーティングタイプのフィルター交換方式汎用合成樹脂マスク1fは、図1の第1タイプに形成されたベルクロインサーティングタイプのフィルター交換方式汎用合成樹脂マスク1aでの第1タイプフィルター挿入部20aが第6タイプフィルター挿入部20fの形状に変形された構造を有する。
【００３７】
ここで、第6タイプフィルター挿入部20eは、縦方向への一字形のバー(bar)の形状の集合に形成されたことに示されている。図6と共に縦方向のバーの間には均一の間隔に形成されることが望ましい。
【００３８】
図7及び図8は、本発明の実施例によるベルクロインサーティングタイプのフィルター交換方式汎用合成樹脂マスクの射出成形装置を示した図面である。先ず、図7は、ベルクロインサーティングタイプのフィルター交換方式汎用合成樹脂マスクの射出成形装置中、下部金型100aを示し、図8は、ベルクロインサーティングタイプのフィルター交換方式汎用合成樹脂マスクの射出成形装置中、上部金型100bを示した図面である。
【００３９】
下部金型100aは、下部マスクガイド形成部110a及びフィルタ−附着用ベルクロ端形成部111aを含む。下部マスクガイド形成部110aは、前述したマスクガイド10の下部面を形成するために陰刻で形成され、左右及び上下対称形でマスクガイド10の下部面にフィルタ−附着用ベルクロ30を装着するための4個のフィルタ−附着用ベルクロ端形成部111aを別に備える。
【００４０】
一方、示されていないが、下部金型100a中、下部マスクガイド形成部110aを形成するA領域(A  area)以外に前述した第1ないし第6タイプのフィルター挿入部20aないし20eの形状を陰刻で形成したB領域(B  area)が下部マスクガイド形成部110aの内部に形成されることが望ましい。
【００４１】
上部金型100bは、上部マスクガイド形成部110b及びベルクロ端挿入ホール形成部111bを含む。
【００４２】
上部マスクガイド形成部110bは、前述したマスクガイド10の上部面を形成するために陰刻で形成され、左右及び上下対称形でマスクガイド10の下部面にフィルタ−附着用ベルクロ30を固定させるための4個のベルクロ端挿入ホール形成部111bを別に備える。ここで、各ベルクロ端挿入ホール形成部111bは、4個の隆起型ニードル(needle)に形成されることが望ましい。
【００４３】
一方、示されていないが、上部金型100b中、上部マスクガイド形成部110bを形成するA領域(A  area)以外に前述した第1ないし第6タイプのフィルター挿入部20aないし20eの形状を陰刻で形成したB領域(B  area)が上部マスクガイド形成部110bの  内部に形成されることが望ましい。
【００４４】
図9は、本発明の実施例によるベルクロインサーティングタイプのフィルター交換方式汎用合成樹脂マスクの製作方法を示した流れ図である。図9を参照すれば、フィルタ−附着用ベルクロ端形成部111aを含む下部金型100aと、ベルクロ端挿入ホール形成部111bを含む上部金型100bを製作する(S11)。
【００４５】
段階(S11)以後、下部金型100aのフィルタ−附着用ベルクロ端形成部111a上にフィルタ−附着用ベルクロ30に対するインサーティング(inserting)を遂行する(S12)。
【００４６】
段階(S12)以後、マスクガイド10と、第1ないし第6タイプフィルター挿入部20a〜20fを形成するための合成樹脂とを撹拌してホッパーへ供給する（S13）。
【００４７】
段階(S13)以後、加熱シリンダーで溶融された合成樹脂をスクリューを通じて下部金型100a及び上部金型100bの間に高圧射出を遂行することによって、ベルクロインサーティングタイプのフィルター交換方式汎用合成樹脂マスクに対する製作を完了する(S14)。
【００４８】
一方、図9には示されていないが、段階(S13)での合成樹脂を撹拌してホッパーへの供給時、液状の機能性添加物(黄土、セラミック、炭、...等)を均一に混合して共に投入することができる。この場合、合成樹脂を撹拌するための第1撹拌機、そして、第1撹拌機の後端に形成されて機能性添加物を共に撹拌するための第2撹拌機に形成されることができる。このような第1撹拌機と第2撹拌機の構造50は、図10のように同じできる。即ち、上端が開口され、開口された上端部には、カバー51が覆われてこれを蜜閉しており、下端には、吐出口52が形成された撹拌タンク53と、撹拌タンク53のカバー51の上側に備えられながら、その回転軸は、カバー51を貫く駆動モーター54と、カバー51を貫いた駆動モーター54の回転軸とスプライン連結されて回転する撹拌翼55を含む。
【００４９】
以上のように、本明細書と図面には、本発明の望ましい実施例に対して開示したし、たとえ特定用語が使われたが、これはただ本発明の技術内容を易しく説明して発明の理解を助けるための一般的な意味で使われただけで、本発明の範囲を限定しようとするものではない。ここに開示された実施例以外にも本発明の技術的思想に基づいた他の変形例が実施可能だというのは本発明が属する技術分野で通常の知識を有する者に自明なものである。
【符号の説明】
【００５０】
1a〜1f:  第1〜第6タイプに形成されたベルクロインサーティングタイプのフィルター交換方式汎用合成樹脂マスク
10:    マスクガイド
20a〜20f:  第1〜第6タイプフィルター挿入部
30:    フィルタ−附着用ベルクロ
40:    交換型フィルター
100a:  下部金型
110a:  下部マスクガイド形成部
111a:  フィルタ−附着用ベルクロ端形成部
100b:  上部金型
110b:  上部マスクガイド形成部
111b:  ベルクロ端挿入ホール形成部
【図１】
2016537218.tif 000003
【図２】
2016537218.tif 000004
【図３】
2016537218.tif 000005
【図４】
2016537218.tif 000006
【図５】
2016537218.tif 000007
【図６】
2016537218.tif 000008
【図７】
2016537218.tif 000009
【図８】
2016537218.tif 000010
【図１０】
2016537218.tif 000011
【図９】
2016537218.tif 000012
【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
枠の形状で内部のフィルター挿入部を支持しており、前記フィルター挿入部と共に上部金型と下部金型を利用した射出成形による合成樹脂で形成されたマスクガイド;及び
前記マスクガイドとフィルター挿入部に対する射出成形の過程で前記下部金型のフィルタ−附着用ベルクロ端形成部の前面に置かれており、前記上部金型のベルクロ端挿入ホールを通じて固定される方式でインサーティングされてマスクガイドに形成されたフィルタ−附着用ベルクロ;とを含むことを特徴とするベルクロインサーティングタイプのフィルター交換方式汎用合成樹脂マスク。
【請求項２】
前記マスクガイド内部の前記フィルター挿入部に脱着が可能になるように形成された交換型フィルター;を更に含むことを特徴とする請求項1に記載のベルクロインサーティングタイプのフィルター交換方式汎用合成樹脂マスク。
【請求項３】
前記フィルター挿入部は、前記マスクガイドの内周面に格子縞の四角ホールが配置された形状に形成されていることを特徴とする請求項1に記載のベルクロインサーティングタイプのフィルター交換方式汎用合成樹脂マスク。
【請求項４】
前記フィルター挿入部は、横方向或いは縦方向への一字形のバーの形状の集合に形成されていることを特徴とする請求項1に記載のベルクロインサーティングタイプのフィルター交換方式汎用合成樹脂マスク。
【請求項５】
前記フィルター挿入部は、縦方向上の中央線（c2）から予め設定された角度（a1）を形成して上向及び下向に各々6個ずつの一直線の形状が形成されており、前記一直線の形状の形成時、長さ方向上の中央線（c1）を中心に左右対称形であることを特徴とする請求項1に記載のベルクロインサーティングタイプのフィルター交換方式汎用合成樹脂マスク。
【請求項６】
前記フィルター挿入部は、前記マスクガイドの内周面に格子縞の楕円ホールが配置された形状に形成されていることを特徴とする請求項1に記載のベルクロインサーティングタイプのフィルター交換方式汎用合成樹脂マスク。
【請求項７】
ベルクロインサーティングタイプのフィルター交換方式汎用合成樹脂マスクを構成するマスクガイドの下部面を形成するために陰刻で形成されており、左右及び上下対称形で前記マスクガイドの下部面にフィルタ−附着用ベルクロを装着するための4個のフィルタ−附着用ベルクロ端形成部を別に備える下部マスクガイド形成部を含む下部金型;
及び
前記マスクガイドの上部面の形成のために陰刻で形成されており、左右及び上下対称形で前記マスクガイドの下部面にフィルタ−附着用ベルクロを固定させるための4個のベルクロ端挿入ホール形成部を別に備える上部マスクガイド形成部を含む上部金型;
からなることを特徴とするベルクロインサーティングタイプのフィルター交換方式汎用合成樹脂マスクの射出成形装置。
【請求項８】
前記ベルクロ端挿入ホール形成部の各々は、4個の隆起型ニードルに形成されていることを特徴とする請求項7に記載のベルクロインサーティングタイプのフィルター交換方式汎用合成樹脂マスクの射出成形装置。
【請求項９】
前記マスクガイドとフィルター挿入部を成形する合成樹脂を撹拌してホッパーへの供給時、液状の機能性添加物を均一に混合して共に投入するために第1撹拌機と、第2撹拌機;を更に含み、
前記第1撹拌機は、前記合成樹脂を撹拌し、
前記第2撹拌機は、前記第1撹拌機の後端に形成されており、前記機能性添加物を共に撹拌して前記ホッパーへ供給するように形成されていることを特徴とする請求項7に記載のベルクロインサーティングタイプのフィルター交換方式汎用合成樹脂マスクの射出成形装置。
【請求項１０】
前記第1撹拌機と前記第2撹拌機の各々は、
上端が開口され、開口された上端部を蜜閉するためのカバーと、下端には吐出口が形成された撹拌タンク;
前記撹拌タンクのカバーの上側に備えられた駆動モーターであり、前記駆動モーターの回転軸は前記カバーを貫く、駆動モーター;及び
前記カバーを貫いた前記駆動モーターの回転軸とスプライン連結されて回転する撹拌翼;を含むことを特徴とする請求項9に記載のベルクロインサーティングタイプのフィルター交換方式汎用合成樹脂マスクの射出成形装置。
【請求項１１】
フィルタ−附着用ベルクロ端形成部を含む下部金型と、ベルクロ端挿入ホール形成部を含む上部金型を製作する第1段階;
前記下部金型のフィルタ−附着用ベルクロ端形成部上にフィルタ−附着用ベルクロに対するインサーティングを遂行する第2段階;
マスクガイドとフィルター挿入部を形成するための合成樹脂を撹拌してホッパーへ供給する第3段階;及び
加熱シリンダーで溶融された合成樹脂をスクリューを通じて前記下部金型及び前記上部金型の間に高圧射出を遂行してベルクロインサーティングタイプのフィルター交換方式汎用合成樹脂マスクに対する製作を完了する第4段階;とを含むことを特徴とするベルクロインサーティングタイプのフィルター交換方式汎用合成樹脂マスクの製造方法。
【請求項１２】
前記第3段階は、前記合成樹脂を撹拌してホッパーへの供給時、液状の機能性添加物を均一に混合して共に投入することを特徴とする請求項11に記載のベルクロインサーティングタイプのフィルター交換方式汎用合成樹脂マスクの製造方法。
【国際調査報告】
2016537218.tif 000013
2016537218.tif 000014
2016537218.tif 000015
2016537218.tif 000016